(57)【要約】      （修正有）【課題】餌魚の仕掛けへの取付が容易で、確実な対象魚の針掛かりを実現する餌魚刺し針太刀魚テンヤを提供する。【解決手段】長軸太刀魚針６を餌魚の尻尾から刺して脊髄に沿って体内を通過して口から抜き、おもり１にて固定、脱着できるようにし、長軸太刀魚針６の軸は太刀魚から見えなくする。また、上から攻撃する魚には、餌魚刺し針をおもり１に装着する時に針先８を下向きから上向きにセットし直すだけの簡単な方法でこの時の対象魚を釣り上げることができる。これにより丸太棒状のようであった餌魚はふっくらとした自然のままの姿で太刀魚にアピールできる。【選択図】図１
2012165732.tif 000002
【特許請求の範囲】
【請求項１】
おもりの中央部分に断面が縦長のスリーブを水平方向に、このおもりと同一長さに埋め込み前記、スリーブに離脱可能な餌魚刺し針を挿入、一端にピンを備えたワイヤーを前記、おもりの底部から通し上部に抜き幹糸接続部品を設けたおもりを特徴とする餌魚刺し針太刀魚テンヤ。
【請求項２】
直線部分が真直性を有する長軸太刀魚針と、この長軸太刀魚針の針先を下方向に向け前記、長軸太刀魚針の一端から針先までの直線部分についてのみ、この軸部分の切断面と同一の形状、同一サイズの下部真直棒を一本、下側に平行に接触密着固定して、さらにこの針先と反対方向の軸部分の長さを揃え、この一端に抜け落ち防止穴を２個設けた刺し針を形成し、おもり内部のスリーブにこの刺し針の針先を下方向にして抜け落ち防止穴方向から挿入し前記、抜け落ち防止穴の２個の穴が前記、おもりの外から見える位置まで差し込み、ワイヤーの一端のピンをこの抜け落ち防止穴の２個の穴に並縫い方式に差し込み、さらに前記、長軸太刀魚針の軸部分の切断面と同一の形状、同一サイズの上部真直棒を前記刺し針の最上部で、この一端がおもりに接触しないぎりぎりの位置に密着固定して、餌魚刺し針停止位置を形成し、他の端はＬ字型餌止めを設け、さらにこのＬ字の内側に孫針取り付け用フックを設けた餌魚刺し針を特徴とする請求項１記載の餌魚刺し針太刀魚テンヤ。
【請求項３】
スリーブの内寸法は刺し針が軽く挿入、離脱ができる余裕を持った縦長の断面で、長軸太刀魚針の切断面と同一の形状、同一サイズの真直棒２本組を密着固定したものは通過できるが、３本組は通過できないスリーブ内寸法であることを特徴とする請求項１の餌魚刺し針太刀魚テンヤ。
【発明の詳細な説明】
【技術分野】
【０００１】本発明は、船釣りに用いられている太刀魚釣りのテンヤに関する。
【背景技術】
【０００２】従来から用いられている太刀魚テンヤの構造は、太刀魚針の針先８を下側に向け太刀魚針の軸１８をおもり１９に固定して取り付け、この太刀魚針の軸１８の上向きの２〜３箇所に釘状突起物１５を取り付け、おもり１９の上側フック１６に針金１２の一端を結びつけた物である。この釘状突起物１５に餌魚１３の頭、胴、腹の下側部分を刺して乗せた後、直ちに餌魚全体に上記、針金１２で計１０回程度、太刀魚針の軸１８に沿ってグルグル巻き付け、ずれ落ちたりしないようにしている。この状態は太刀魚針の軸１８の上に餌が乗っていて、おもり１９の上側フック１６に釣竿からの幹糸と連結して海底に沈める。【０００３】海中で太刀魚は立ち泳ぎをしており、上にいる魚を下から襲い餌にしているが今、海中の仕掛けにおいては、太刀魚は太刀魚針の下側から入り込んで、立ち泳ぎの状態で下から上方向の太刀魚針に付いている餌魚１３を見ている。この時、太刀魚針の軸１８と針金１２が最初に目に入るので、古参の大きな太刀魚はこの仕掛けを避けているのが現状である。太刀魚の食欲の無い時などは危険予知能力を最大限働かせ、これが釣れにくい原因となっている。【０００４】餌魚１３はタチウオに食べられ原型を無くしたり一部分がかじられたりすると、太刀魚針に付いている餌魚１３を新しい物に交換する必要がある。当然、巻いていた針金１２を今度は反対に１０回程度巻き戻し、古い餌魚を取り除いて新たな餌魚１３と交換し再度、針金１２で太刀魚針の軸１８にグルグル巻く必要がある。さらにタチウオの鋭い歯で餌魚１３を攻撃するから、餌魚１３に巻いてある針金１２は往々にしてクチャクチャになったり切断したり、元の状態に戻すのに思わぬ手間がかかる。さらに太刀魚針の構造上、針先８が軸方向の芯よりはみ出しているため、針金を巻く手の動きは直径１０センチ程度の丸太に巻くような格好になるので、この針金１２を用いる餌魚１３の固定作業は、随分手間がかかるのだが今まで改良されていない。【０００５】仕掛けにセットされた刺し餌の餌魚１３の姿は、針金１２でグルグル巻きにされる関係で当然、太刀魚針の軸の上に乗っている丸太棒状の魚となる。針金が巻かれていない尻尾が良く食われると言う現象から見ても太刀魚は、この仕掛けに違和感を覚えているものと思われ、この太刀魚テンヤ仕掛けに、もし自然のままのふっくらとした姿のままで餌魚１３が装着できておれば、もっと釣り易い種類の釣りになると思われる。
【先行技術文献】
【特許文献】
【０００６】  特開２００３−２３０３３０号公報
【発明の概要】
【発明が解決しようとする課題】
【０００７】上述のごとく従来の太刀魚テンヤ仕掛けは、高い視力を有している海中の太刀魚の目線で下から上を見上げると最初に太刀魚針の軸１８と針金１２目に入り、早々と異物を感じ取って危険を予知して、これが釣れにくい原因となっている。この太刀魚針の軸と針金を太刀魚の目線から無くすることが求められる。【０００８】針金１２を用いる餌魚１３の仕掛けの面倒な固定作業が、釣人に負担になっており改良が望まれている。【０００９】烏賊や蛸のように餌魚１３の上側から攻撃してくる魚には、アタリがあるのに針先８の向きが逆なので針掛かりしない欠点がある。釣人はアタリがあるのに一向に釣れない魚をその時に釣り上げたい強い願望がある。これらを含め簡単な方法で対処可能なように、その商品の製造方法を提供することを目的としている。
【課題を解決するための手段】
【００１０】上述の目的を達成するために、おもり１の中央部分に断面が縦長のスリーブ２を水平方向に、このおもり１と同一長さに埋め込み前記、スリーブ２に離脱可能な餌魚刺し針、図５を挿入、一端にピン３を備えたワイヤー４を前記、おもり１の底部から通し上部に抜き幹糸接続部品５を設けたおもりを特徴とする餌魚刺し針太刀魚テンヤ。【００１１】直線部分が真直性を有する長軸太刀魚針６と、この長軸太刀魚針６の針先８を下方向に向け前記、長軸太刀魚針６の一端から針先８までの直線部分についてのみ、この軸部分の切断面と同一の形状、同一サイズの下部真直棒７を一本、下側に平行に接触密着固定して、さらにこの針先８と反対方向の軸部分の長さを揃え、この一端に抜け落ち防止穴９を２個設けた刺し針、図３を形成し、おもり内部のスリーブ２にこの刺し針の針先８を下方向にして抜け落ち防止穴９方向から挿入し前記、抜け落ち防止穴９の２個の穴が前記、おもり１の外から見える位置まで差し込み、ワイヤー４の一端のピン３をこの抜け落ち防止穴９の２個の穴に並縫い方式に差し込み、さらに前記、長軸太刀魚針６の軸部分の切断面と同一の形状、同一サイズの上部真直棒１０を前記刺し針の最上部で、この一端がおもりに接触しないぎりぎりの位置に密着固定して、餌魚刺し針停止位置１４を形成し、他の端はＬ字型餌止め１１を設け、さらにこのＬ字の内側に孫針取り付け用フック２０を設けた餌魚刺し針を特徴とする請求項１記載の餌魚刺し針太刀魚テンヤ。【００１２】スリーブ２の内寸法は刺し針、図３が軽く挿入、離脱ができる余裕を持った縦長の断面で、長軸太刀魚針６の切断面と同一の形状、同一サイズの真直棒２本組を密着固定した図４は、通過できるが、３本組、図６は通過できないスリーブ２内寸法であることを特徴とする請求項１の餌魚刺し針太刀魚テンヤ。
【発明の効果】
【００１３】以上の説明から明らかなように、本発明にあっては次に列挙する効果が得られる。
（１）本発明の餌魚刺し針、図５の抜け落ち防止穴９の先端を餌魚１３の尻尾から刺して脊髄に沿って体内を通過して口から抜くので太刀魚針の軸１８は見えなくなった。太刀魚は思いっきり餌魚１３に襲い掛かることができ、今までこの仕掛けを見て逃げていた古参の太刀魚の警戒心を取り除くことができる。【００１４】（２）本発明の餌魚刺し針、図５の抜け落ち防止穴９の先端を餌魚１３の尻尾から刺して餌魚１３の脊髄に沿って体内を通過して口から抜くので従来のテンヤで餌魚１３を固定していた針金１２が必要なくなった。太刀魚は針金１２を見て危険予知をして警戒することが無くなり又、面倒な針金１２を用いる餌魚１３の固定作業を無くすることで時間短縮となり、仕掛けの手返しが早くなりさらに人的疲労を軽減させることができる。【００１５】（３）本発明の餌魚刺し針、図５の抜け落ち防止穴９の先端を餌魚１３の尻尾から刺して餌魚１３の脊髄に沿って体内を通過して口から抜き、尻尾部分から刺した位置が、餌魚刺し針のＬ字型餌魚ストップ１１に接触して餌魚１３が固定されるので従来のテンヤ、図１０で見られた餌魚１３が移動するのを防止していたぐるぐる巻きの針金１２が必要なくなった。【００１６】（４）長軸太刀魚針６とこの軸部分の切断面と同一の形状、同一サイズの真直棒の総計３本組を接着固定した縦長の断面を有する餌魚刺し針、断面図６で餌魚１３に刺して体内を通過しているので、餌魚１３は１本の真直棒では軸の断面方向に回転するが本発明は回転しない特徴がある。従来のテンヤ、図９では回転を防止するため釘状突起物１５に餌魚１３を刺してさらに針金１２で巻いて固定していたが本発明ではそれが必要なくなった。【００１７】（５）太刀魚用に針先８を下側に向けて図８のように釣りをしている時に、烏賊や蛸やその他の魚のように餌の上側から攻撃をされ針がかりしない時には、急遽、図１１のように針の向きを上側に向けて簡単にセットし直して、この対象魚を釣り上げる仕掛けに簡単に変更できる特徴がある。【００１８】（６）本発明の餌魚刺し針太刀魚テンヤは針金１２を無くし、さらに軸１８を太刀魚から見えなくしたので、仕掛けの餌魚１３は自然のままのふっくらとした姿で太刀魚にアピールできる特徴がある。
【図面の簡単な説明】
【００１９】
【図１】本発明の側面図である。
【図２】おもりの断面図の拡大である。
【図３】刺し針の側面図である。
【図４】刺し針の断面図の拡大である。
【図５】餌魚刺し針の側面図である。
【図６】餌魚刺し針の断面図の拡大である。
【図７】餌魚を付けた餌魚刺し針の側面図である。
【図８】餌魚を付けた本発明の側面図である。
【図９】従来の太刀魚テンヤの側面図である。
【図１０】従来の太刀魚テンヤの餌を付けた側面図である。
【図１１】本発明の烏賊や蛸、その他の魚種対応仕掛けである。
【発明を実施するための形態】
【００２０】以下、本発明の実施の形態を図面に基づき詳細に説明する。
【００２１】図１は本発明の側面図である。
【００２２】図２はおもりの断面図の拡大である。
【００２３】図３は刺し針の側面図である。
【００２４】図４は刺し針の断面図の拡大である。
【００２５】図５は餌魚刺し針の側面図である。
【００２６】図６は餌魚刺し針の断面図の拡大である。
【００２７】図７は餌魚刺し針に餌魚を装着した側面図である。
【００２８】図８は餌魚を付けた本発明の側面図である。
【００２９】図９は従来の太刀魚テンヤの側面図である。
【００３０】図１０は従来の太刀魚テンヤに餌魚を装着した側面図である。
【００３１】図１１は本発明の餌魚の上から攻撃される対象魚用に変更したテンヤの側面図である。
【実施例１】
【００３２】本発明の餌魚刺し針太刀魚テンヤを用いた場合、アタリがあっても針がかりしない場合に、孫針取り付けフック２０にハリスを介して孫針を取り付けセットして置くと効果がある。
【実施例２】
【００３３】図４、図６には長軸太刀魚針、真直棒の接着断面で今回、丸棒に例えているがこれを密着固定する方法として半田を利用すると断面の円と円との間に発生する谷間には、はんだによる盛り付ける方法がある。
【実施例３】
【００３４】ワイヤー４の一端であるピン３は抜け落ち防止穴９の２箇所を並縫い方式で通すためワイヤーの先端部分を半田処理して真直性を持たせている。
【実施例４】
【００３５】本発明の餌魚の刺し針は、従来の太刀魚テンヤと同じく装着できる餌魚の大きさは限られており、餌魚を刺す範囲は餌魚刺し針停止位置１４からＬ字型餌止め１１までの長さである。乗合船などで支給される大きめ餌魚の時には餌魚の頭を餌魚刺し針停止位置１４に合わせてＬ字型餌止め１１に相当する餌魚の場所から刺し針を挿入して口から抜くと好都合である。
【産業上の利用可能性】
【００３６】本発明は多くの人々が仕事上で発生するストレスの発散、解消に利用しているが、船の太刀魚釣りのレジャー産業の分野で利用することができる。
【符号の説明】
【００３７】  １    おもり
２    スリーブ
３    ピン
４    ワイヤー
５    幹糸接続部品
６    長軸太刀魚針
７    下部真直棒
８    針先
９    抜け落ち防止穴
１０  上部真直棒
１１  Ｌ字型餌止め
１２  針金
１３  餌魚
１４  餌魚刺し針停止位置
１５  釘状突起物
１６  上側フック
１７  ハンダ
１８  軸
１９  おもり
２０  孫針取り付け用フック
【図１】
2012165732.tif 000003
【図２】
2012165732.tif 000004
【図３】
2012165732.tif 000005
【図４】
2012165732.tif 000006
【図５】
2012165732.tif 000007
【図６】
2012165732.tif 000008
【図７】
2012165732.tif 000009
【図８】
2012165732.tif 000010
【図９】
2012165732.tif 000011
【図１０】
2012165732.tif 000012
【図１１】
2012165732.tif 000013